(57)【要約】【課題】  火災による熱風等を受けてスクリーン錘が持ち上げられても、気密性能および耐火性能を保持できるエレベータ乗場の防火防煙装置を得る。【解決手段】  防火防煙スクリーン６の下端部にスクリーン錘８が取り付けられ、火災発生時に防火防煙スクリーン６が降下して、エレベータ乗場ドア前面を閉鎖し防火区画を形成するものにおいて、スクリーン錘８は、防火防煙スクリーンの下端部に設けられたスクリーン錘本体９、１０と、スクリーン錘本体に対し上下方向にスライドできるように取り付けられ、スクリーン錘が持ち上げられた時に自重により降下してスクリーン錘本体と乗場床面との間の隙間を塞ぐ閉塞体１２又は１４とを備える。【選択図】    図５
2005201012.tif 000002
【特許請求の範囲】
【請求項１】
防火防煙スクリーンの下端部にスクリーン錘が取り付けられ、火災発生時に、前記防火防煙スクリーンが降下して、エレベータ乗場ドア前面を閉鎖し防火区画を形成するエレベータ乗場の防火防煙装置において、
前記スクリーン錘は、
前記防火防煙スクリーンの下端部に設けられたスクリーン錘本体と、
前記スクリーン錘本体に対し上下方向にスライドできるように取り付けられ、前記スクリーン錘が持ち上げられた時に自重により降下して前記スクリーン錘本体と乗場床面との間の隙間を塞ぐ閉塞体と、
を備えたことを特徴とするエレベータ乗場の防火防煙装置。
【請求項２】
閉塞体が平板状の塞ぎ板であることを特徴とする請求項１記載のエレベータ乗場の防火防煙装置。
【請求項３】
閉塞体がＵ字状の錘カバーであることを特徴とする請求項１記載のエレベータ乗場の防火防煙装置。
【請求項４】
スクリーン錘の一部を、スクリーン錘本体より上方に延長し、Ｌ字状に折り曲げて取手部を形成したことを特徴とする請求項１のエレベータ乗場の防火防煙装置。
【請求項５】
スクリーン錘の一部を、スクリーン錘本体より上方に延長し、この延長部に取手用の手掛け穴を形成したことを特徴とする請求項１のエレベータ乗場の防火防煙装置。
【請求項６】
防火防煙スクリーンの表面と裏面とで取手用の手掛け穴の形成位置をずらせたことを特徴とする請求項５記載のエレベータ乗場の防火防煙装置。
【請求項７】
防火防煙スクリーンの下端部に設けられるスクリーン錘本体を、最下端部の少し上方に設けることにより、前記防火防煙スクリーンの下端部を前記スクリーン錘本体の下面より突出させてスクリーン垂れ部を設け、このスクリーン垂れ部をＵ字状の錘カバーの内面に接触させたことを特徴とする請求項３記載のエレベータ乗場の防火防煙装置。
【発明の詳細な説明】
【技術分野】
【０００１】
この発明は、ビル火災発生時等に用いられるエレベータ乗場の防火防煙装置に関するものである。
【背景技術】
【０００２】
従来のエレベータ乗場の防火防煙装置においては、乗場三方枠上方の幕板部内に、防火防煙スクリーン装置を収納している。そして、火災発生時に、火災感知感知器等の信号を受信し、乗場三方枠上方の幕板部に巻き取り収納されている防火防煙スクリーンが降下して、エレベータ乗場ドア前面を閉鎖し、防火区画を形成している（例えば、特許文献１参照）。
【０００３】
【特許文献１】特開平１１−１２８３８０号公報
【発明の開示】
【発明が解決しようとする課題】
【０００４】
従来のエレベータ乗場の防火防煙装置においては、万が一、防火防煙スクリーンが全閉している乗場にエレベータかごが着床し、かご内に閉じ込められた人が、防火防煙スクリーンを手動開放して避難する場合に、以下の問題がある。
・安全性、避難性を考慮し、防火防煙スクリーンの下端部に設けられるスクリーン錘を軽くする為、火災時の熱風等により、スクリーン錘が持ち上げられ、スクリーン錘と乗場床面との間に隙間ができ、気密性能及び耐火性能が失われることがある。
・緊急の状態で防火防煙スクリーンを手動開放する場合、スクリーン錘の座板部に開けられた取っ手穴では手を掛け難く、防火防煙スクリーンを持ち上げ難い為、避難性が落ちる。
【０００５】
この発明は、上述のような課題を解決するためになされたもので、火災による熱風等を受けてスクリーン錘が持ち上げられても、気密性能および耐火性能を保持できるエレベータ乗場の防火防煙装置を提供するものである。
【課題を解決するための手段】
【０００６】
この発明に係るエレベータ乗場の防火防煙装置においては、防火防煙スクリーンの下端部にスクリーン錘が取り付けられ、火災発生時に防火防煙スクリーンが降下して、エレベータ乗場ドア前面を閉鎖し防火区画を形成するものにおいて、スクリーン錘は、防火防煙スクリーンの下端部に設けられたスクリーン錘本体と、スクリーン錘本体に対し上下方向にスライドできるように取り付けられ、スクリーン錘が持ち上げられた時に自重により降下してスクリーン錘本体と乗場床面との間の隙間を塞ぐ閉塞体とを備えたものである。
【発明の効果】
【０００７】
この発明のエレベータ乗場の防火防煙装置によれば、防火防煙スクリーンが火災による熱風等を受け、スクレーン錘が持ち上げられても、閉塞体が降下してスクリーン錘本体と乗場床面との間の隙間を塞ぐので、気密性能および耐火性能が向上する。また、錘の質量を軽減することにより、避難時の開放力を軽減することができ、避難性能が向上する。
【発明を実施するための最良の形態】
【０００８】
実施の形態１．
図１はこの発明を実施するための実施の形態１におけるエレベータ乗場を示す斜視図、図２はこの発明の実施の形態１におけるエレベータ乗場の防火防煙装置の上部構造を示す断面図、図３はこの発明の実施の形態１におけるエレベータ乗場の防火防煙装置の要部構造を示す拡大断面図、図４はエレベータ乗場の防火防煙装置の防火防煙スクリーンが全閉している状態を示す要部の断面図、図５は全閉状態にある防火防煙スクリーンが熱風等によりスクリーン錘が持ち上がった状態を示す要部の断面図である。
【０００９】
図１、図２において、防火防煙装置を備えたエレベータ乗場は、乗場ドア装置１、乗場ドア２、乗場三方枠３、乗場三方枠の縦枠３ａ、乗場三方枠の幕板３ｂ、乗場三方枠の上枠３ｃ、乗場三方枠３の幕板３ｂの背面内側に収納された防火防煙スクリーン装置４、乗場の床面５、および防火・防煙スクリーン装置４に巻き込まれた防火防煙スクリーン６、乗場三方枠３の縦枠３ａに垂直方向に形成されたスクリーン降下溝７、および防火防煙スクリーン６の下端部に取り付けられたスクリーン錘８から構成されている。
この発明の実施の形態１における防火防煙装置の防火防煙スクリーンの下部構造は、図３〜図５に示すように、防火防煙スクリーン６の下端部にスクリーン錘８が取り付けられている。このスクリーン錘８は、防火防煙スクリーン６の下端部を間に挟んでその両側から互いに対向するよう配置された各一対の外側の錘体９およびスクリーン側の座板１０と、昇降路側の錘体９の前面側を覆う断面Ｌ字状の錘カバー１１と、乗場側の錘体９の前面側を覆うとともに上下方向の長穴（図示せず）が設けられた平板状の塞ぎ板１２と、この平板状の塞ぎ板１２を長穴を介して固定する固定用ねじ１３から構成されている。上記平板状の塞ぎ板１２は、長穴により上下方向に昇降移動可能に取り付けられているので、自重により降下できるように構成されている。この実施の形態１では、錘体９、座板１０および錘カバー１１がスクリーン錘本体を構成し、塞ぎ板１２が閉塞体を構成する。
【００１０】
このように構成されたエレベータ乗場の防火防煙装置の防火防煙スクリーン６においては、火災発生時に、図４に示すような全閉状態にある時は、スクリーン錘８が乗場床面５に接触し、気密性能および耐火性能を保持している。この防火防煙スクリーン６の全閉状態で、例えば熱風等により、図５に示すように、スクリーン錘８が持ち上げられたとしても、スクリーン錘８と乗場床面５との間の隙間を、自重により降下する平板状の塞ぎ板１２が閉鎖することになるので、エレベータ乗場の気密性能及び耐火性能が向上する。
なお、スクリーン錘８の質量を容易に軽減することができるので、避難時の開放力を軽減することができ、避難性能が向上する。また、スクリーン錘８による挟まれに対しても安全性が向上する。
【００１１】
実施の形態２．
図６はこの発明の実施の形態２におけるエレベータ乗場の防火防煙装置の要部構造を示す拡大断面図、図７はエレベータ乗場の防火防煙装置の防火防煙スクリーンが全閉している状態を示す要部の断面図、図８は全閉状態にある防火防煙スクリーンが熱風等によりスクリーン錘が持ち上がった状態を示す要部の断面図である。
図中、実施の形態１と同一または相当部分は同一符号で示し、説明を省略する。
この実施の形態２においては、実施の形態１における断面Ｌ字状の錘カバー１１と平板状の塞ぎ板１２とを一体に形成して成る断面Ｕ字状の錘カバー１４を設けたものである。このＵ字状の錘カバー１４の乗場側前面には上下方向の長穴（図示せず）が設けられ、この長穴を介して固定用ねじ１３で固定されるものである。したがって、Ｕ字状の錘カバー１４は、自重により降下できるように構成されている。この実施の形態２では、錘体９、座板１０が錘本体を構成し、Ｕ字状の錘カバー１４が閉塞体と錘本体の一部を構成する。
【００１２】
このように構成されたエレベータ乗場の防火防煙装置の防火防煙スクリーン６においては、火災発生時に、図７に示すような全閉状態にある時は、スクリーン錘８が乗場床面５に接触し、気密性能および耐火性能を保持している。この防火防煙スクリーン６の全閉状態で、例えば熱風等により、図８に示すように、スクリーン錘８が持ち上げられたとしても、スクリーン錘８と乗場床面５との間の隙間を、自重により降下するＵ字状の塞ぎ板１４が閉鎖することになるので、エレベータ乗場の気密性能及び耐火性能が向上する。
なお、スクリーン錘８の質量を容易に軽減することができるので、避難時の開放力を軽減することができ、避難性能が向上する。また、スクリーン錘８による挟まれに対しても安全性が向上する。特に、Ｕ字状の錘カバー１４によれば、実施の形態１における平板状の塞ぎ板１２に比べて、万一挟まれた場合でも安全性が向上する。また、下側からスクリーン錘８を見た時に錘体９が全く見えない為、乗場意匠性が向上する。
【００１３】
実施の形態３．
図９はこの発明の実施の形態３におけるエレベータ乗場の防火防煙装置の防火防煙スクリーンが全閉している状態を示す要部の断面図、図１０はスクリーン錘の構造を示す一部背面図である。
図中、実施の形態２と同一または相当部分は同一符号で示し、説明を省略する。
この実施の形態３は、実施の形態２と同様に、断面Ｕ字状の錘カバー１４を設けたものである。このＵ字状の錘カバー１４の乗場側の側面には上下方向の長穴（図示せず）が設けられ、この長穴を介して固定用ねじ１３で固定されるものである。したがって、Ｕ字状の錘カバー１４は、自重で降下できるように構成されている。そして、実施の形態３においては、防火防煙スクリーン６の下端部を間に挟んでスクリーン６の両側面に配置された座板１０の上端面の中央部を更に上方に延長し、Ｌ字状に折り曲げた取手１５を形成したものである。この取手１５は座板１０の上端面中央部に設けたが、中央で振り分けて左右両側に２個所設けても良い。
【００１４】
このように構成されたエレベータ乗場の防火防煙装置の防火防煙スクリーン６においては、火災発生時に、図９に示すような全閉状態にある時は、スクリーン錘８が乗場床面５に接触し、気密性能および耐火性能を保持している。また、緊急の状態で、防火防煙スクリーン６を手動で開放する場合、スクリーン錘８の座板１０部を延長し、Ｌ字状に曲げられた取手１５を設けたので、手が掛け易くなり、スクリーン錘８を持ち上げ易くなって、避難性能が向上する。また、下側から錘を見た時には取手１５は見えない構成の為、意匠性が低下しない。
【００１５】
実施の形態４．
図１１はこの発明の実施の形態４におけるエレベータ乗場の防火防煙装置の防火防煙スクリーンが全閉している状態を示す要部の断面図、図１２及び図１３はスクリーン錘の構造を示す一部背面図である。
図中、実施の形態３と同一または相当部分は同一符号で示し、説明を省略する。
この実施の形態４は、実施の形態２、３と同様に、断面Ｕ字状の錘カバー１４を設けたものである。このＵ字状の錘カバー１４の乗場側の側面には上下方向の長穴（図示せず）が設けられ、この長穴を介して固定用ねじ１３で固定されるものである。したがって、Ｕ字状の錘カバー１４は、自重で降下できるように構成されている。そして、実施の形態４においては、防火防煙スクリーン６の下端部を間に挟んでスクリーン６の両側面に配置された座板１０の上端面の一部を更に上方に延長することにより延長部１６を設け、この延長部１６の中央部に取手用の手掛け穴１７を形成したものである。この延長部１６と手掛け穴１７は、防火防煙スクリーン６を挟んで互いに対向する座板１０の上端面の形成位置が重ならないようにずらせて設けられる。また、図１３に示すように、座板１０の上端面の中央部を更に上方に延長して延長部１６を設け、この延長部１６の中央部に取手用の手掛け穴１７を形成してもよい。
【００１６】
このように構成されたエレベータ乗場の防火防煙装置の防火防煙スクリーン６においては、表面と裏面で取手位置をずらしたことにより、実施の形態３よりも取手部分でスクリーンが押しやすくなり、手が掛けやすく、スクリーン錘を持ち上げ易い為、避難性能が向上する。
【００１７】
実施の形態５．
図１４はこの発明の実施の形態５におけるエレベータ乗場の防火防煙装置の防火防煙スクリーンが全閉している状態を示す要部の断面図、図１５は全閉状態にある防火防煙スクリーンが熱風等によりスクリーン錘が持ち上がった状態を示す要部の断面図である。
図中、実施の形態２と同一または相当部分は同一符号で示し、説明を省略する。
この実施の形態５においては、実施の形態２と同様に、断面Ｕ字状の錘カバー１４を設けたものである。このＵ字状の錘カバー１４の乗場側前面には上下方向の長穴（図示せず）が設けられ、この長穴を介して固定用ねじ１３で固定されるものである。したがって、Ｕ字状の錘カバー１４は、自重により降下できるように構成されている。そして、実施の形態５においては、防火防煙スクリーン６の下端部に設けられるスクリーン錘本体を、最下端部の少し上方に設けている。これにより、防火防煙スクリーン６の下端部をスクリーン錘本体の下面より突出させてスクリーン垂れ部６ａを設け、このスクリーン垂れ部６ａをＵ字状の錘カバー１４の内面に接触させている。
【００１８】
このように構成されたエレベータ乗場の防火防煙装置の防火防煙スクリーン６においては、火災発生時に、図１４に示すような全閉状態にある時は、スクリーン錘８が乗場床面５に接触し、気密性能および耐火性能を保持しているが、この実施の形態５ではスクリーン垂れ部６ａがＵ字状の錘カバー１４の内面に接触しているので。気密性能および耐火性能が更に向上する。また、この防火防煙スクリーン６の全閉状態で、例えば熱風等により、図１５に示すように、スクリーン錘８が持ち上げられたとしても、スクリーン錘８と乗場床面５との間の隙間を、自重により降下するＵ字状の塞ぎ板１４が閉鎖することになるとともに、スクリーン垂れ部６ａの下端部が降下したＵ字状の錘カバー１４の内面に追従して接触するので、エレベータ乗場の気密性能及び耐火性能が更に向上する。
【図面の簡単な説明】
【００１９】
【図１】この発明を実施するための実施の形態１におけるエレベータ乗場を示す斜視図である。
【図２】この発明の実施の形態１におけるエレベータ乗場の防火防煙装置の上部構造を示す断面図である。
【図３】この発明の実施の形態１におけるエレベータ乗場の防火防煙装置の要部構造を示す拡大断面図である。
【図４】この発明の実施の形態１におけるエレベータ乗場の防火防煙装置の防火防煙スクリーンが全閉している状態を示す要部の断面図である。
【図５】全閉状態にある防火防煙スクリーンが熱風等によりスクリーン錘が持ち上がった状態を示す要部の断面図である。
【図６】この発明の実施の形態２におけるエレベータ乗場の防火防煙装置の要部構造を示す拡大断面図である。
【図７】この発明の実施の形態２におけるエレベータ乗場の防火防煙装置の防火防煙スクリーンが全閉している状態を示す要部の断面図である。
【図８】全閉状態にある防火防煙スクリーンが熱風等によりスクリーン錘が持ち上がった状態を示す要部の断面図である。
【図９】この発明の実施の形態３におけるエレベータ乗場の防火防煙装置の防火防煙スクリーンが全閉している状態を示す要部の断面図である。
【図１０】この発明の実施の形態３におけるスクリーン錘の構造を示す一部背面図である。
【図１１】この発明の実施の形態４におけるエレベータ乗場の防火防煙装置の防火防煙スクリーンが全閉している状態を示す要部の断面図である。
【図１２】この発明の実施の形態４におけるスクリーン錘の構造を示す一部背面図である。
【図１３】この発明の実施の形態４におけるスクリーン錘の他の構造例を示す一部背面図である。
【図１４】この発明の実施の形態５におけるエレベータ乗場の防火防煙装置の防火防煙スクリーンが全閉している状態を示す要部の断面図である。
【図１５】この発明の実施の形態５におけるエレベータ乗場の防火防煙装置の全閉状態にある防火防煙スクリーンが熱風等によりスクリーン錘が持ち上がった状態を示す要部の断面図である。
【符号の説明】
【００２０】
１  乗場ドア装置
２  乗場ドア
３  乗場三方枠
３ａ  三方枠の縦枠
３ｂ  三方枠の幕板
３ｃ  三方枠の上枠
４  防火防煙スクリーン装置
５  乗場の床面
６  防火防煙スクリーン
６ａ  スクリーン垂れ部
７  スクリーン降下溝
８  スクリーン錘
９  錘体
１０  座板
１１  Ｌ字状の錘カバー
１２  塞ぎ板
１３  固定用ねじ
１４  Ｕ字状の錘カバー
１５  Ｌ字状の取手
１６  延長部
１７  手掛け穴
【図１】
2005201012.tif 000003
【図２】
2005201012.tif 000004
【図３】
2005201012.tif 000005
【図４】
2005201012.tif 000006
【図５】
2005201012.tif 000007
【図６】
2005201012.tif 000008
【図７】
2005201012.tif 000009
【図８】
2005201012.tif 000010
【図９】
2005201012.tif 000011
【図１０】
2005201012.tif 000012
【図１１】
2005201012.tif 000013
【図１２】
2005201012.tif 000014
【図１３】
2005201012.tif 000015
【図１４】
2005201012.tif 000016
【図１５】
2005201012.tif 000017